(57)【要約】【課題】手乾燥装置における人体及び／又は手の検出は、透過型光センサーや反射型光センサーを使用しており、噴出す気体の制御やヒーターの制御はＯＮ−ＯＦＦ制御であり、乾燥効率が悪かった。本発明の目的は、使用者が快適に効率よく手を乾燥できる手乾燥装置を提供することを目的とする。【解決手段】本発明では、手に付着した水などを気体で吹き飛ばす装置において、手や人体の検出を、手や人体までの距離を計測できるセンサーを使用し、コントローラーはこの距離情報に応じて、気体供給装置及び／又は加熱装置等の能力を可変制御するように構成したものである。【選択図】　図１
2004113528.tif 000002
【特許請求の範囲】
【請求項１】
手を挿入する手挿入部と、前記手に対し、少なくとも一方向から気体を噴出す噴出しノズルと、前記噴出しノズルに風を供給する気体供給装置と、前記噴出しノズルと前記手挿入部内の手までの距離を計測する計測センサーと、前記気体供給装置の能力を制御するコントローラーとを有し、前記コントローラーは、前記計測センサーからの情報により前記気体供給装置の能力を可変することを特徴とした手乾燥装置。
【請求項２】
手を挿入する手挿入部と、前記手に対し、少なくとも一方向から輻射熱を照射する加熱装置と、前記加熱装置と前記手挿入部内の手までの距離を計測する計測センサーと、前記加熱装置の能力を制御するコントローラーとを有し、前記計測センサーからの情報により、前記コントローラーは、前記加熱装置の能力を可変することを特徴とした手乾燥装置。
【請求項３】
手を挿入する手挿入部と、前記手に対し、掌及び手の甲側に気体を噴出す噴出しノズルと、前記噴出しノズルに気体を供給する気体供給装置と、少なくともひとつの前記ノズルと前記手挿入部内の手までの距離を計測する計測センサーと、前記気体供給装置から噴出しノズルの間に配設され、掌及び手の甲側への気体の供給量を調節する風量調整装置と、前記風量調整装置を制御するコントローラーとを有し、前記コントローラーは、前記計測センサーからの情報により風量調整装置の掌及び手の甲側への気体の供給量を調整する制御を行うことを特徴とした手乾燥装置。
【請求項４】
手を挿入する手挿入部と、前記手に対し、少なくとも一方向から気体を噴出す噴出しノズルと、前記噴出しノズルに気体を供給する気体供給装置と、使用者の手乾燥装置への接近を検出する人体距離計測センサーと、前記噴出しノズルの気体を加熱するための加熱装置と、加熱装置の能力を制御するコントローラーとを有し、前記コントローラーは、前記人体距離計測センサーからの情報により加熱装置の通電を開始する制御を行うことを特徴とした手乾燥装置。
【発明の詳細な説明】
【０００１】
【発明の属する技術分野】
本発明は、　濡れた手に付着している水などを気体で吹き飛ばして乾燥させる手乾燥装置に係り、特に使用者に好適な使用感を与える制御に関する発明である。
【０００２】
【従来の技術】
従来のこの種の手乾燥装置は、手挿入部に手があることを検出して、噴出しノズルから気体を掌及び／または手の甲側に当てて、手に付着した水などを吹き飛ばして乾燥させるものである（例えば、特許文献１参照。）。
【０００３】
【特許文献１】
特開昭６３−１５４１３８号公報（第４頁、第１図）
【０００４】
【発明が解決しようとする課題】
従来の手乾燥装置では、手と噴出しノズルとの距離に係わらず、噴出す気体の速度及び温度が一定であり、手が噴出しノズルより遠い場合は気体の速度が遅く、乾燥能力が低いといった問題があった。　また、手を噴出しノズルに近づけすぎた場合には、気体温度が高すぎるといった問題もあった。　本発明は、上記問題を解決するためになされたもので、本発明の目的は、常に最適な乾燥能力を発揮する手乾燥装置を提供することにある。
【０００５】
【課題を解決するための手段】
上記目的を達成するために請求項１は、手を挿入する手挿入部と、前記手に対し、少なくとも一方向から気体を噴出す噴出しノズルと、前記噴出しノズルに風を供給する気体供給装置と、前記噴出しノズルと前記手挿入部内の手までの距離を計測する計測センサーと、前記気体供給装置の能力を制御するコントローラーとを有し、前記コントローラーは、前記計測センサーからの情報により前記気体供給装置の能力を可変するように制御したので、噴出しノズルと手の距離に関わらず、手に当たる気体の速度を一定に保つことができる。
上記目的を達成するために請求項２は、手を挿入する手挿入部と、前記手に対し、少なくとも一方向から輻射熱を照射する加熱装置と、前記加熱装置と前記手挿入部内の手までの距離を計測する計測センサーと、前記加熱装置の能力を制御するコントローラーとを有し、前記計測センサーからの情報により、前記コントローラーは、前記加熱装置の能力を可変するよう制御したので、手と加熱装置が近すぎてやけどをすることを防止でき、且つ、遠すぎて温熱効果が無いといったことを防止できる。
上記目的を達成するために請求項３は、手を挿入する手挿入部と、前記手に対し、掌及び手の甲側に気体を噴出す噴出しノズルと、前記噴出しノズルに気体を供給する気体供給装置と、少なくともひとつの前記ノズルと前記手挿入部内の手までの距離を計測する計測センサーと、前記気体供給装置から噴出しノズルの間に配設され、掌及び手の甲側への気体の供給量を調節する風量調整装置と、前記風量調整装置を制御するコントローラーとを有し、前記コントローラーは、前記計測センサーからの情報により風量調整装置の掌及び手の甲側への気体の供給量を調整するように制御を行うようにしたので、掌側及び手の甲側へ一定の速度で気体を当てることができる。
上記目的を達成するために請求項４は、手を挿入する手挿入部と、前記手に対し、少なくとも一方向から気体を噴出す噴出しノズルと、前記噴出しノズルに気体を供給する気体供給装置と、使用者の手乾燥装置への接近を検出する人体距離計測センサーと、前記噴出しノズルの気体を加熱するための加熱装置と、加熱装置の能力を制御するコントローラーとを有し、前記コントローラーは、前記人体距離計測センサーからの情報により加熱装置の通電を開始するように制御を行うようにしたので、使用開始と同時に最適な温度に加熱した気体を手に当てることができる。
【０００６】
【発明の実施の形態】
以下、本発明の実施の形態を添付図面に基づいて説明する。図１は、本発明の手乾燥装置の一実施例を示す概略断面図である。
【０００７】
図１に示すように、手乾燥装置Ａは、本体１の内部に、内蔵して気体を供給する気体供給装置２０と、気体供給装置２０から供給路２を介して気体を噴出す噴出しノズルと、本体１の下部に設けられて水滴等を受ける水受け部９と、水受け部９に着脱自在に取り付けられて水受け部９で受けた水滴等を水受け部９に設けられた排水口７を介して貯水する水受けトレイ１１と、本体１の上部と水受け部９との間に形成して濡れ手５を挿入する手挿入部６と、噴出しノズル４と濡れ手５の距離を計測する計測センサー８と、供給路２に配設して気体供給装置２０から供給された気体を加熱するヒーター等の加熱装置３と、手乾燥装置Ａへの人体の接近を検出する人体距離計測センサー２１と加熱手段３及び／又は気体供給装置２０を制御するためのコントローラー１３とから構成されている。
【０００８】
また、図１には濡れ手５への輻射熱を放射する加熱装置２２が手挿入部６の奥側壁面に配設され、輻射熱が直接濡れ手５へ当たるように構成されている。加熱装置２２は加熱装置３の補助的に使用しても良いし、加熱装置２２のみで構成しても良い。
【０００９】
図２のブロック図に示すように、コントローラー１３は、計測センサー８からの信号により、図３に示すように、濡れ手５と噴出しノズル４との距離が遠い場合は、気体供給装置２０の出力を大きくするように制御する。
【００１０】
図４のブロックに示すように、コントローラー１３は、計測センサー８からの信号により、図５に示すように、濡れ手５と輻射熱を濡れ手５に照射する加熱装置２２の距離が遠い場合には、加熱装置２２の出力を大きくするように制御する。
【００１１】
図６のブロック図に示すように、コントローラー１３は、図示はしないが、掌側及び手の甲側へ気体を噴出す噴出しノズルを有する場合には、図７に示すように噴出しノズルと掌迄の距離と、噴出しノズルと手の甲迄の距離の比に応じて、掌側の風量と手の甲側の風量の割合を変更するように制御を行う。手挿入部６の大きさは一定であるから、計測センサー８は濡れ手５の掌又は手の甲の一方の距離を計測し、コントローラー１３で演算しても良い。
【００１２】
図８のブロック図に示すように、コントローラー１３は、人体距離検出センサー２１からの信号により、使用者が本体Ａに近づいてきている場合には、加熱装置３をＯＮする。フローチャートを図９に示す。計測センサー８が濡れ手５を検出して、噴出しノズル４から気体が噴出されるときは、加熱装置３は十分加熱され、噴出し初期段階から暖められた気体を噴出する。
【００１３】
【発明の効果】
本発明によれば、使用者が常に快適に使用できる手乾燥装置を提供することが可能となる。
【図面の簡単な説明】
【図１】本発明の制御手段を有する手乾燥装置の略断面図である。
【図２】本発明の実施例を示すブロック図である。
【図３】本発明の実施例における噴出しノズルと手迄の距離と気体供給装置の出力の関係を示す図である。
【図４】本発明の他の実施例を示すブロック図である。
【図５】本発明の他の実施例における加熱装置と手迄の距離と加熱装置の出力の関係を示す図である。
【図６】本発明の他の実施例を示すブロック図である。
【図７】本発明の他の実施例における噴出しノズルと掌迄の距離と噴出しノズルと手の甲迄の距離の比と掌側の風量と手の甲側の風量の比の関係を示す図である。
【図８】本発明の他の実施例を示すブロック図である。
【図９】本発明の他の実施例の制御を示すフローチャート図である。
【符号の説明】
Ａ…手乾燥装置
１…本体
２…供給路
３…加熱装置
４…噴出しノズル
５…手
６…手挿入部
７…排水口
８…計測センサー（手〜噴出しノズル又は加熱装置）
９…水受け部
１０…水位検出手段
１１…水受けトレイ
１２…ブザー
１３…コントローラー
２０…気体供給装置
２１…人体距離計測センサー（人体〜手乾燥装置）
２２…加熱装置（輻射タイプ）
【図１】
2004113528.tif 000003
【図２】
2004113528.tif 000004
【図３】
2004113528.tif 000005
【図４】
2004113528.tif 000006
【図５】
2004113528.tif 000007
【図６】
2004113528.tif 000008
【図７】
2004113528.tif 000009
【図８】
2004113528.tif 000010
【図９】
2004113528.tif 000011